(57)【要約】      （修正有）【課題】滑り止め及び好適な握感を具備するグリップを有し、同時に、調整リングを具備する流水コントローラーを有するシャワーヘッドを提供する。【解決手段】本考案は一種のシャワーヘッドの構造の改良で、シャワーヘッドのグリップ(10)は一体射出成型の１つの硬質本体(14)であり、硬質本体(14)の表面は射出包覆成型により適当な長さ及び厚さの軟質包覆層(15)が包覆されることにより、グリップ(10)は滑り止め及び好適な握感を具備し、同時にグリップ(10)出水口(13)に調整リング(23)を具備する流水コントローラー(20)が取り付けられることにより、使用者は調整リング(23)を回転させ、流水パターンを切り替え、異なる種類の流水パターンを楽しむことができる。【選択図】図２
0003115136.tif 000002
【実用新案登録請求の範囲】
【請求項１】
一種のシャワーヘッドの構造の改良で、該シャワーヘッドは１つのグリップ(10)を含み、内部に１つの流道(11)を有し流道(11)一端に１つの入水口(12)を形成し、もう一端に１つの出水口(13)を形成し、又、該グリップ(10)はプラスチック一体射出成型の１つの硬質本体(14)を具備し、硬質本体(14)の表面は射出包覆成型により適当な長さ及び厚さの軟質包覆層(15)（厚さ：1.5 〜 4.5 mm）が包覆されることにより、滑り止め及び好適な握感を具備することを特徴とするシャワーヘッド。
【請求項２】
各軟質包覆層(15)の間に軟質包覆層(15)と同じ厚さを有し、且つ適当な形状を有する硬質層(141)が硬質本体(14)より凸出し、硬質層(141)と軟質包覆層(15)が平坦になることを特徴とする請求項１記載のシャワーヘッド。
【請求項３】
一種のシャワーヘッドの構造の改良で、該シャワーヘッドは１つのグリップ(10)と１つの流水コントローラー(20)とを含み、該グリップ(10)は内部に１つの流道(11)を有し、流道(11)一端に１つの入水口(12)を形成し、もう一端に１つの出水口(13)を形成し、又、該グリップ(10)はプラスチック一体射出成型の１つの硬質本体(14)を具備し、硬質本体(14)表面を射出成型する時、更に硬質本体(14)の表面は射出包覆成型により適当な長さ及び厚さの軟質包覆層(15)（厚さ：1.5 〜 4.5 mm）が包覆されることにより、グリップ(10)は滑り止め及び好適な握感を具備し、且つ、グリップ(10)の出水口(13)端に１つの内管壁(16)を形成し、その外周に１つの相互不通の外管壁(17)を形成し、該流水コントローラー(20)は少なくとも１つの出水弁座(21)と、１つの弁ロッド(22)と、１つの調整リング(23)と、１つのカバー(27)とを含み、該出水弁座(21)は中段に１つの弁孔(211)が貫通設置され、一端に弁孔(211)と連通する軸向管接頭(212)を有し、軸向管接頭(212)はグリップ(10)の内管壁(16)と固定設置でき、出水弁座(21)のもう一端には１つの円封片(215)が設置され、円封片(215)の外壁面の適当な所に１つの環壁(216)を有し、且つ、環壁(216)の円封片(215)外壁面の適当な所に少なくとも１つの内出水孔(218)を有し、内出水孔(218)と弁孔(211)とは相通し、又、環壁(216)外周の円封片(215)外壁面の適当な所に少なくとも１つの外出水孔(219)を有し、外出水孔(219)と弁孔(211)とは相通し、該弁ロッド(22)は弁孔(211)内部に貫通設置され、弁ロッド(22)の両端は適当に弁孔(211)より凸出し、且つ、弁ロッド(22)外径縁の適当な所に少なくとも２つの止水部が設けられ、内出水孔(218)と外出水孔(219)を封鎖することができ、該調整リング(23)は出水弁座(21)の弁孔(211)両端に設置でき、且つ、内壁面に１つの予設形状の凸槽壁(231)を形成することにより、弁孔(211)より凸出する弁ロッド(22)の両端と適当に係合でき、調整リング(23)を適当に回転させることにより、弁ロッド(22)が弁孔(211)内を軸方向に移動し、内出水孔(218)、外出水孔(219)を開通、或いは封鎖することができ、該カバー(27)は出水弁座(21)の外側を適当に封鎖固定し、該カバー(27)は１つの中央出水区(273)と１つの外縁出水区(275)とを有し、該中央出水区(273)は複数の内水孔(274)を有し、出水弁座(21)の環壁(216)の内出水孔(218)と相通し、該外縁出水区(275)は複数の外水孔(276)を有し、出水弁座(21)の環壁(216)の外出水孔(219)と相通し、上記構造により、調整リング(23)を回転させ、内水孔(274)、外水孔(276)のどちらか一方或いは、両方より水を噴出させ、各種流水パターンを発生させることができることを特徴とするシャワーヘッド。
【請求項４】
該出水弁座(21)の円封片(215)の中央に１つの螺固柱(217)を有し、カバー(27)中央に貫通設置されるボルト(272)によりカバー(27)をネジ結合させることができ、且つ、環壁(216)と螺固柱(217)の間の円封片(215)外壁面の適当な所に内出水(218)を有することを特徴とする請求項３記載のシャワーヘッド。
【請求項５】
該出水弁座(21)の環壁(216)内部に１つの内導流体(24)が設置され、該内導流体(24)はカバー(27)の中央出水区(273)周辺に圧迫固定され、且つ、該内導流体(24)は内側と外側の面にそれぞれ１つの内槽面(242)と外槽面(243)を有し、該内槽面(242)と出水弁座(21)の環壁(216)の外壁面との間に１つの入水室(a)を形成し、又、該外槽面(243)とカバー(27)の中央出水区(273)の内壁との間に１つの出水室(c)を形成し、又、内槽面(242)と外槽面(243)とは複数の斜導槽(244)が貫通することにより相通し、各斜導槽(244)は複数の上記内水孔(274)に相対し、内出水孔(218)より噴出する水は、入水室(a)、斜導槽(244)を経過し、斜方向に導引され、出水室(c)に入り、更に、出水室(c)内に１つの回転部(25)が設置され、該回転部(25)は複数のファン状プレート(252)を有し、ファン状プレート(252)は斜導槽(244)より斜め方向に噴出する水に推動され、連続回転することができ、又、複数のファン状プレート(252)の内１つのファン状プレート(252)上に１つのストッパー縁(253)が延設され、斜導槽(244)から流出する水により回転部(25)が回転し、回転部(25)のファン状プレート(252)の内１つに延設されたストッパー縁(253)が回転しながら順々に斜導槽(244)を塞ぐことにより、カバー(27)の内水孔(274)から均等に間隔的に出水させることができることを特徴とする請求項３記載のシャワーヘッド。
【請求項６】
該出水弁座(21)の環壁(216)に１つの環体状の外導流体(26)が設置され、該外導流体(26)はカバー(27)により被覆定位され、又、該外導流体(26)の内壁面と出水弁座(21)の環壁(216)外周の外壁面との間に１つの水室(b)を形成し、又、外導流体(26)は複数の噴水柱(262)を有し、カバー(27)の外縁出水区(275)の各外水孔(276)に貫通定位し、出水弁座(21)の外出水孔(219)より水室(b)内へ噴入する水を噴水柱(262)から噴出させることができることを特徴とする請求項１記載のシャワーヘッド。
【請求項７】
該出水弁座(21)に相対するグリップ(10)の内管壁(16)の外端縁に係合歯(162)が設けられ、係合歯(162)と出水弁座(21)とが係合することにより、出水弁座(21)が緩むのを防止することができることを特徴とする請求項３記載のシャワーヘッド。
【請求項８】
該弁孔(211)内壁面周縁に２つの水室(222)が形成できるよう、弁ロッド(22)は中段に適当な間隔を有する２つの環溝(221)が設けられ、且つ、２つの水室(222)の間の中央部位に少なくとも１つの止水ワッシャー(223)が設置されることにより、２つの水室(222)を隔離密封することができ、更に、２つの水室(222)外側の適当な所に少なくとも１つの止水ワッシャー(224)がそれぞれ設置されることにより、２つの水室(222)外側を密封することができ、弁ロッド(22)中央部位の止水ワッシャー(223)が真中に位置する時、出水弁座(21)の内出水孔(218)と外出水孔(219)のそれぞれを、別々に２つの相対する水室(222)に連通させることができ、又、該止水ワッシャー(223)が１つの側に偏移する時、内出水孔(218)と同じ側の水室(222)とを連通させ、もう１つの側の止水ワッシャー(224)が外出水孔(219)を密封し、反対に、該止水ワッシャー(223)がもう一方の側に偏移する時、外出水孔(219)と同じ側の水室(222)とを連通させ、もう１つの側の止水ワッシャー(224)が内出水孔(218)を密封することを特徴とする請求項３記載のシャワーヘッド。
【請求項９】
該調整リング(23)の該凸槽壁(231)は高定位点(234)から低定位点(232)までの１２個の定位点を有し、弁ロッド(22)の両端がともに中定位点(233)に定位する時、弁ロッド(22)中央部位の中定位点(233)は真中に位置し、弁ロッド(22)の一端が高定位点(234)に定位し、もう一端が低定位点(232)に定位する時、弁ロッド(22)中央部位の中定位点(233)は適当な側に偏移することを特徴とする請求項８記載のシャワーヘッド。
【考案の詳細な説明】
【技術分野】
【０００１】
本考案はシャワーヘッドに係るものであり、特に、グリップ(10)は滑り止め及び好適な握感を具備し、同時にグリップ(10)出水口(13)に調整リング(23)を具備する流水コントローラー(20)が取り付けられることにより、使用者は調整リング(23)を回転させ、流水パターンを切り替え、異なる流水パターンを楽しむことができるシャワーヘッドに係るものである。
【背景技術】
【０００２】
浴室やシャワー室にシャワー装置として、シャワーホースを介してシャワーヘッドを接続したものが広く使用されている。  
【０００３】
シャワーを使用する時、使用者は石鹸の付いた手でシャワーヘッドを持ったりする為、シャワーヘッドのグリップが滑りやすく、落としたり足に当たったりする危険がある等の問題がある。  
【０００４】
又、シャワーヘッドの中にはシャワーヘッド切り替えスイッチが取り付けられたものがあるが、シャワー水の出水・停水を切り替えることができるのみで、流水パターンを切り替えることができない為、多様化するニーズに応えることができないという問題がある。
【考案の開示】
【考案が解決しようとする課題】
【０００５】
本考案はシャワーヘッドにおいて滑り止め及び好適な握感を具備するグリップを有し、同時に、調整リング(23)を具備する流水コントローラー(20)を有するシャワーヘッドを提供することを目的とする。
【課題を解決するための手段】
【０００６】
前記の目的を図るために、本考案は一種のシャワーヘッドの構造の改良で、シャワーヘッドのグリップ(10)は一体射出成型の１つの硬質本体(14)であり、硬質本体(14)の表面は射出包覆成型により適当な長さ及び厚さの軟質包覆層(15)が包覆されることにより、グリップ(10)は滑り止め及び好適な握感を具備し、同時にグリップ(10)出水口(13)に調整リング(23)を具備する流水コントローラー(20)が取り付けられることにより、使用者は調整リング(23)を回転させ、流水パターンを切り替え、異なる種類の流水パターンを楽しむことができる。  
【考案の効果】
【０００７】
本考案の流水コントローラー(20)を具備することにより、本考案のシャワーヘッドは、多種型態の流水パターン機能を具備し、それはマッサージ効果を含み、使用者の各種ニーズを満足させることができ、シャワーヘッドの使用機能を向上させることができる。
【考案を実施するための最良の形態】
【０００８】
以下に添付図面を参照して本考案のある好適な実施の形態を詳細に説明するが、それらの構成は本考案の構造の絶対的な制限にならない。  
【０００９】
図１、３は本考案のシャワーヘッドで、シャワーヘッドは１つのグリップ(10)を含み、内部に１つの流道(11)を有し、流道(11)一端に１つの入水口(12)を形成し、もう一端に１つの出水口(13)を形成し、図２、４、５が示す如く、グリップ(10)はプラスチック一体射出成型の１つの硬質本体(14)を具備し、硬質本体(14)の表面は射出包覆成型により適当な長さ及び厚さの軟質包覆層(15)（厚さ：1.5 〜 4.5 mm）が包覆されることにより、グリップ(10)は滑り止め及び好適な握感を具備し、各軟質包覆層(15)の間に軟質包覆層(15)と同じ厚さを有し、且つ適当な形状を有する硬質層(141)が硬質本体(14)より凸出し、各軟質包覆層(15)に挟まれる硬質本体(14)上には図案（例：本考案の楕円状模様）或いは英語文字或いはロゴ等を形成することができ、グリップ(10)の質感を向上させるだけでなく、軟硬質層の交互の排列により、好適な握感を具備することができ、又、グリップ(10)の出水口(13)端に１つの内管壁(16)を形成し、その外周に１つの相互不通の外管壁(17)を形成し、同時に、内管壁(16)の内壁面にネ
ジ溝(161)を形成し、ネジ溝(161)の外端に係合歯(162)を設ける。  
【００１０】
１つの流水コントローラー(20)は１つの出水弁座(21)と、１つの弁ロッド(22)と、１つの調整リング(23)と、１つの内導流体(24)と、１つの回転部(25)と、１つの外導流体(26)と、１つのカバー(27)とを含み、出水弁座(21)は中段に１つの弁孔(211)が貫通設置され、一端に弁孔(211)と連通する軸向管接頭(212)を有し、軸向管接頭(212)は外壁面にネジ山(213)を有することにより、グリップ(10)内管壁(16)のネジ溝(161)と螺固でき、且つ、軸向管接頭(212)の外壁面の適当な所に１つの止水ワッシャー(214)を嵌合設置することにより、内管壁(16)の内壁面を密封することができ、出水弁座(21)のもう一端には１つの円封片(215)が設置され、円封片(215)の外壁面の適当な所に１つの環壁(216)を有し、中央に１つの螺固柱(217)を有し、且つ、環壁(216)と螺固柱(217)の間の円封片(215)外壁面の適当な所に２つの内出水孔(218)を有し、内出水孔(218)と弁孔(211)とは相通し、又、環壁(216)外周の円封片(215)外壁面の適当な所に３つの外出水孔(219)を有し、外出水孔(219)と弁孔(211)とは相通し、又、出水弁座(21)と出水弁座(21)に相対するグリップ(10)の内管壁(16)の外端に設けられた係合歯(162)とが係合することにより、出水弁座(21)が緩むのを防止することができる。  
【００１１】
弁ロッド(22)は弁孔(211)内部に貫通設置され、且つ、弁ロッド(22)の両端は適当に弁孔(211)より凸出し、弁孔(211)内壁面周縁に２つの水室(222)が形成できるよう、弁ロッド(22)は中段に適当な間隔を有する２つの環溝(221)が設けられ、且つ、弁ロッド(22)の２つの水室(222)の間の中央部位に２つの止水ワッシャー(223)が設置されることにより、２つの水室(222)を隔離密封することができ、更に、２つの水室(222)外側部位の適当な所に１つの止水ワッシャー(224)がそれぞれ設置されることにより、２つの水室(222)外側を密封することができ、又、外側部位の止水ワッシャー(224)は弁孔(211)の内出水孔(218)、外出水孔(219)をそれぞれ別々に相通或いは止水することができる。（下記に説明）  
【００１２】
調整リング(23)は出水弁座(21)の弁孔(211)両端に嵌合設置でき、且つ、内壁面に１つの凸槽壁(231)を形成し、凸槽壁(231)は30°の角度ごとに低定位点(232)、中定位点(233)、高定位点(234)を有し、更に、高定位点(234)から低定位点(232)までの間に１２個の定位点を有し、各定位点は180°反対側の相対する所にそれぞれ定位点を有し、更に、任意の２つの相対定位点と弁ロッド(22)両端は相対定位でき、該相対定位点は６組の中定位点(233)対中定位点(233)及び６組の高定位点(234)対低定位点(232)を含み、調整リング(23)を適当な位置に回転させることにより、弁ロッド(22)が弁孔(211)内を軸方向に移動する構造であり、弁ロッド(22)両端が調整リング(23)の２つの相対する中定位点(233)と定位状態にある時、弁ロッド(22)中央部位の中定位点(233)は真中に位置することにより、出水弁座(21)の内出水孔(218)と外出水孔(219)のそれぞれを別々に２つの相対する水室(222)に連通させることができ、又、弁ロッド(22)両端が調整リング(23)の高定位点(234)対低定位点(232)と定位状態にある時、弁ロッド(22)中央部の止水ワッシャー(223)は偏移状態になり、内出水孔(218)と同じ側の水室(222)とを連通させ、もう１つの側の止水ワッシャー(224)が外出水孔(219)を密封し、或いは外出水孔(219)と同じ側の水室(222)とを連通させ、もう１つの側の止水ワッシャー(224)が内出水孔(218)を密封する。  
【００１３】
内導流体(24)は１つの円形体であり、出水弁座(21)の環壁(216)内部に設置することができ、中央に１つの貫通孔(241)を有することにより、環壁(216)内部の螺固柱(217)に嵌合設置でき、又、内導流体(24)は内側と外側の面にそれぞれ内槽面(242)と外槽面(243)を有し、内槽面(242)と出水弁座(21)環壁(216)内の外壁面との間に１つの入水室(a)を形成し、内導流体(24)の中心から等距離の所に等間隔に３つの斜導槽(244)が内槽面(242)と外槽面(243)とを貫通するよう設けられ、内出水孔(218)より入水室(a)内に進入する水は斜導槽(244)を通過することにより、斜め方向に噴出する。  
【００１４】
回転部(25)は内導流体(24)の外槽面(243)内に設置することができ、且つ、中央に１つの軸孔(251)を有することにより、水弁座(21)の螺固柱(217)上に枢軸設置でき、周囲に複数のファン状プレート(252)を有し、ファン状プレート(252)は斜導槽(244)より斜め方向に噴出する水に推動され、連続回転することができ、又、複数のファン状プレート(252)の内１つのファン状プレート(252)上に１つのストッパー縁(253)が延設され、斜導槽(244)から流出する水により回転部(25)が回転し、回転部(25)のファン状プレート(252)の内１つに延設されたストッパー縁(253)が回転しながら順々に斜導槽(244)を塞ぐことにより、各斜導槽(244)から均等に間隔的に出水させることができる。  
【００１５】
外導流体(26)は環体状であり、中央部に１つの通孔(261)を有することにより、出水弁座(21)の環壁(216)と嵌合でき、且つ、環壁(216)の外周に設置することができ、又、外導流体(26)の内壁面は浅い凹形状であることにより、出水弁座(21)の環壁(216)外周の外壁面との間に１つの水室(b)を形成し、又、外導流体(26)は複数の噴水柱(262)を有することにより、出水弁座(21)の外出水孔(219)より水室(b)内へ噴入する水を噴水柱(262)から噴出させることができる。  
【００１６】
カバー(27)は円形状カバー体であり、中央に１つの貫通孔(271)を有することにより、１つのボルト(272)を貫通孔(271)に貫通させた後、出水弁座(21)の貫通孔(271)にカバー(27)をネジ結合させることができ、同時に、内導流体(24)、外導流体(26)を固定設置することができ、又、カバー(27)の貫通孔(271)外周に環状の中央出水区(273)を形成することができ、中央出水区(273)の内側に等間隔に３組の内水孔(274)を有し、各内水孔(274)は内導流体(24)の３つの斜導槽(244)と相対し、又、中央出水区(273)内壁面と内導流体(24)の外槽面(243)との間に１つの出水室(c)を形成することにより、斜導槽(244)を通過する水は出水室(c)へ流入し、相対する内水孔(274)より噴出し、中央流水パターンを形成する。  
【００１７】
又、中央出水区(273)外周に更に環状の外縁出水区(275)を形成し、外縁出水区(275)は複数の外水孔(276)を有することにより、外導流体(26)の各噴水柱(262)を嵌合設置でき、流水時、外周流水パターンを形成することができる。  
【００１８】
図５が示す如く、本考案のシャワーヘッドは多種型態の流水パターン機能を具備し、それは、流水コントローラー(20)の弁ロッド(22)両端と調整リング(23)の凸槽壁(231)の２つの相対する中定位点(233)とが係合する時、弁ロッド(22)の中央部にある止水ワッシャー(223)は弁孔(211)の真中に位置することにより、２つの水室(222)のそれぞれに相対する内出水孔(218)、外出水孔(219)に相通させ、上記構造により、弁孔(211)内へ進入する水は分岐し、それぞれ別々に２つの水室(222)を通過した後、内出水孔(218)或いは外出水孔(219)を通過し、更に、入水室(a)或いは水室(b)に入る。  
【００１９】
入水室(a)内の水は内導流体(24)の斜導槽(244)を通過し、更に、出水室(c)を通過し、その後、カバー(27)の内水孔(274)から噴出し、中央流水パターンを形成し、又、斜導槽(244)から流出する水により回転部(25)が回転し、回転部(25)のファン状プレート(252)の内１つに延設されたストッパー縁(253)が回転しながら順々に斜導槽(244)を塞ぐことにより、各斜導槽(244)から均等に間隔的に出水させることができ、カバー(27)の内水孔(274)から間隔的に出水させることにより、シャワーを当てる部位に対して、マッサージ効果を具備することができる。  
【００２０】
又、水室(b)内の水は、カバー(27)の外水孔(276)に設置される外導流体(26)の噴水柱(262)から直接噴出し、外周流水パターンを形成する。  
【００２１】
上記により、中央流水パターン及び外周流水パターンを同時に形成する。  
【００２２】
図６が示す如く、使用者は外周流水パターンのみにしたい場合、流水コントローラー(20)の調整リング(23)（図５）を時計回りに約30°回転させればよく、これにより弁ロッド(22)の右端が調整リング(23)凸槽壁(231)の１つの低定位点(232)に定位され、左端が１つの相対する高定位点(234)に定位され、弁ロッド(22)中央部の止水ワッシャー(223)が右側に偏移し、弁ロッド(22)左側の止水ワッシャー(224)が内出水孔(218)を密封し、右側の水室(222)と外出水孔(219)とが相通することにより、弁孔(211)内部の水が外出水孔(219)からカバー(27)の各外水孔(276)内に設置される外導流体(26)の噴水柱(262)より噴出し、外周流水パターンを形成する。  
【００２３】
図７が示す如く、使用者は中央流水パターンのみにしたい場合、流水コントローラー(20)の調整リング(23)（図５）を逆時計回りに約30°回転させればよく、これにより弁ロッド(22)の左端が調整リング(23)凸槽壁(231)の１つの低定位点(232)に定位され、右端が１つの相対する高定位点(234)に定位され、弁ロッド(22)中央部の止水ワッシャー(223)が左側に偏移し、弁ロッド(22)右側の止水ワッシャー(224)が外出水孔(219)を密封し、左側の水室(222)と内出水孔(218)とが相通することにより、弁孔(211)内部の水が内出水孔(218)から内導流体(24)の斜導槽(244)、出水室(c)を通過し、カバー(27)の内水孔(274)より噴出し、上述のように、マッサージ効果を具備する中央流水パターンを形成することができる。
【図面の簡単な説明】
【００２４】
【図１】本考案のシャワーヘッドを示す外観組み合わせ図である。
【図２】本考案のシャワーヘッドを示す局部の立体分解図である。
【図３】本考案のシャワーヘッドを示す側視断面図である。
【図４】本考案のシャワーヘッドを示す俯瞰断面図である。
【図５】本考案の弁ロッド(22)と調整リング(23)とが係合する状態の側視断面図である。
【図６】図５の調整リング(23)を時計回りに回転させる状態図である。
【図７】図５の調整リング(23)を逆時計回りに回転させる状態図である。
【符号の説明】
【００２５】
１０  グリップ
１１  流道
１２  入水口
１３  出水口
１４  硬質本体
１４１  硬質層
１５  軟質包覆層
１６  内管壁
１６１  ネジ溝
１６２  係合歯
１７  外管壁
２０  流水コントローラー
２１  出水弁座
２１１  弁孔
２１２  軸向管接頭
２１３  ネジ山
２１４  止水ワッシャー
２１５  円封片
２１６  環壁
２１７  螺固柱
２１８  内出水孔
２１９  外出水孔
２２  弁ロッド
２２１  環溝
２２２  水室
２２３  止水ワッシャー
２２４  止水ワッシャー
２３  調整リング
２３１  凸槽壁
２３２  低定位点
２３３  中定位点
２３４  高定位点
２４  内導流体
２４１  貫通孔
２４２  内槽面
２４３  外槽面
２４４  斜導槽
２５  回転部
２５１  軸孔
２５２  ファン状プレート
２５３  ストッパー縁
２６  外導流体
２６１  通孔
２６２  噴水柱
２７  カバー
２７１  貫通孔
２７２  ボルト
２７３  中央出水区
２７４  内水孔
２７５  外縁出水区
２７６  外水孔
a  入水室
b  水室
c   出水室
【図１】
0003115136.tif 000003
【図２】
0003115136.tif 000004
【図３】
0003115136.tif 000005
【図４】
0003115136.tif 000006
【図５】
0003115136.tif 000007
【図６】
0003115136.tif 000008
【図７】
0003115136.tif 000009